(57)【要約】【課題】物品を出し入れするスペースを広く、かつガタつきを小さくすることができる。【解決手段】収納庫の開口部に設けられる略板状の蓋１０２が、周縁が開口部の内周面に沿った閉位置から、収納庫の内部を露出させる開位置へ移動するときには、下端に位置する第１スライド部材２０及び第２スライド部材３０が上方向に移動し、かつカム部材４１及び板状部４５が上方向に移動する。それと共に、カム部材４１及び板状部４５が、第１スライド部材２０の上端近傍に設けられた回動軸２５まわりに回動し、カム部材４１及び板状部４５の回動に伴って蓋１０２の裏面に固定された蓋スライド部５０が平行移動する。【選択図】  図２
2018100504.tif 000002
【特許請求の範囲】
【請求項１】
収納庫の開口部に設けられる略板状の蓋を、周縁が前記開口部の内周面に沿った閉位置と、前記収納庫の内部を露出させる開位置と、の間で開閉自在に支持する蓋の開閉構造であって、
前記収納庫の内側の壁面に設けられるガイド部材と、
前記ガイド部材に沿って上下方向に移動可能に設けられた第１スライド部材と、
前記第１スライド部材の上端近傍に設けられた回動軸と、
前記第１スライド部材に沿って上下方向に移動可能に設けられた第２スライド部材と、
前記回動軸に軸支されたカム部材であって、前記回動軸の位置と異なる位置で前記第２スライド部材と当接するカム部材と、
前記蓋の裏面に固定された蓋スライド部と、
前記カム部材と共に前記回動軸まわりに回動可能な板状部であって、前記蓋スライド部が移動可能に設けられた板状部と、
を備え、
前記閉位置においては、前記第１スライド部材及び前記第２スライド部材が下端に位置し、
前記閉位置から前記開位置へ前記蓋が移動するときに、前記第１スライド部材及び前記第２スライド部材が上方向に移動することで、前記カム部材及び前記板状部が上方向に移動しながら回動し、前記カム部材及び前記板状部の回動に伴って前記蓋スライド部が平行移動することを特徴とする蓋の開閉構造。
【請求項２】
前記第１スライド部材と前記第２スライド部材との間に設けられ、前記第２スライド部材に上向きの力を付勢する弾性部材を備え、
前記カム部材の回動角度が略１５度のときに、前記弾性部材が前記蓋を開く方向に前記カム部材を回動させる力と、前記蓋の自重により前記蓋を閉じる方向に前記カム部材を回動させる力と、が一致することを特徴とする請求項１に記載の蓋の開閉構造。
【請求項３】
前記ガイド部材と前記第１スライド部材との間に設けられ、前記第１スライド部材に対し、前記ガイド部材から離れる方向の力を付勢して前記第１スライド部材を押し上げる第２弾性部材を備えたことを特徴とする請求項１又は２に記載の蓋の開閉構造。
【請求項４】
収納庫の開口部に設けられる略板状の蓋を、周縁が前記開口部の内周面に沿った閉位置と、前記収納庫の内部を露出させる開位置と、の間で開閉自在に支持する蓋の開閉構造であって、
前記収納庫の内側の壁面に設けられるガイド部材と、
前記ガイド部材に沿って上下方向に移動可能に設けられた第１スライド部材と、
前記第１スライド部材の上端近傍に設けられた回動軸と、
前記第１スライド部材に沿って上下方向に移動可能に設けられた第２スライド部材と、
前記回動軸に軸支されたカム部材であって、前記回動軸の位置と異なる位置で前記第２スライド部材と当接するカム部材と、
前記カム部材と共に前記回動軸まわりに回動可能な板状部であって、前記蓋の裏面に固定された板状部と、
前記ガイド部材と前記第１スライド部材との間に設けられ、前記第１スライド部材に対し、前記ガイド部材から離れる方向の力を付勢して前記第１スライド部材を押し上げる弾性部材と、
を備え、
前記ガイド部材には、前記第１スライド部材の移動方向と略直交する方向に移動可能に設けられた下部突起及び上部突起が設けられ、
前記第１スライド部材の側面には、下部凹部及び上部凹部が形成され、
前記閉位置においては、前記下部突起が前記下部凹部に嵌合するとともに、前記上部突起が前記上部凹部に嵌合し、
前記開位置においては、前記上部突起が前記下部凹部に嵌合し、前記蓋が前記開口部の外部に配置されて前記カム部材が回動可能であることを特徴とする蓋の開閉構造。
【請求項５】
前記第１スライド部材と前記第２スライド部材との間に設けられ、前記第２スライド部材に上向きの力を付勢する第２弾性部材を備え、
前記カム部材の回動角度が略１５度のときに、前記第２弾性部材が前記蓋を開く方向に前記カム部材を回動させる力と、前記蓋の自重により前記蓋を閉じる方向に前記カム部材を回動させる力と、が一致することを特徴とする請求項４に記載の蓋の開閉構造。
【発明の詳細な説明】
【技術分野】
【０００１】
本発明は、蓋の開閉構造に関する。
【背景技術】
【０００２】
特許文献１には、収納庫本体の開口部を開閉する蓋の基端部が収納庫本体の枠に回動自在に連結された床下収納庫であって、蓋開閉保持用のリンク機構と、蓋持ち上げ用のリンク機構と、を有する床下収納庫が開示されている。特許文献１に記載の発明では、蓋が閉じた状態では、蓋の基端部と収納庫本体との枠との隙間がほとんど無く、蓋を開くときには、蓋持ち上げ用のリンク機構が、蓋の基端部を収納庫本体の枠に当てないようにしながら、蓋の基端部を収納庫本体の枠よりも上方に位置させ、かつ少なくとも蓋の外面部を収納庫本体の枠の内面部よりも外側方に位置させる。
【先行技術文献】
【特許文献】
【０００３】
【特許文献１】特開２００１−３２５１８号公報
【発明の概要】
【発明が解決しようとする課題】
【０００４】
特許文献１に記載の発明では、リンク機構が収納庫内部に突出するため、物品を出し入れするときにリンク機構が邪魔になり、使い勝手が悪いという問題がある。また、リンク機構は軸が多数存在するため、ガタつきが大きくなるという問題がある。
【０００５】
本発明はこのような事情に鑑みてなされたもので、物品を出し入れするスペースを広く、かつガタつきを小さくすることができる蓋の開閉構造を提供することを目的とする。
【課題を解決するための手段】
【０００６】
上記課題を解決するために、本発明に係る蓋の開閉構造は、例えば、収納庫の開口部に設けられる略板状の蓋を、周縁が前記開口部の内周面に沿った閉位置と、前記収納庫の内部を露出させる開位置と、の間で開閉自在に支持する蓋の開閉構造であって、前記収納庫の内側の壁面に設けられるガイド部材と、前記ガイド部材に沿って上下方向に移動可能に設けられた第１スライド部材と、前記第１スライド部材の上端近傍に設けられた回動軸と、前記第１スライド部材に沿って上下方向に移動可能に設けられた第２スライド部材と、前記回動軸に軸支されたカム部材であって、前記回動軸の位置と異なる位置で前記第２スライド部材と当接するカム部材と、前記蓋の裏面に固定された蓋スライド部と、前記カム部材と共に前記回動軸まわりに回動可能な板状部であって、前記蓋スライド部が移動可能に設けられた板状部と、を備え、前記閉位置においては、前記第１スライド部材及び前記第２スライド部材が下端に位置し、前記閉位置から前記開位置へ前記蓋が移動するときに、前記第１スライド部材及び前記第２スライド部材が上方向に移動することで、前記カム部材及び前記板状部が上方向に移動しながら回動し、前記カム部材及び前記板状部の回動に伴って前記蓋スライド部が平行移動することを特徴とする。
【０００７】
本発明に係る蓋の開閉構造によれば、閉位置から開位置へ蓋が移動すると、下端に位置する第１スライド部材及び第２スライド部材が上方向に移動し、かつカム部材及び板状部が上方向に移動する。それと共に、カム部材及び板状部が、第１スライド部材の上端近傍に設けられた回動軸まわりに回動し、カム部材及び板状部の回動に伴って蓋の裏面に固定された蓋スライド部が平行移動する。したがって、リンク機構を用いない省スペースな開閉装置とすることができる。また、蓋の開閉時に収納庫の内部に部品が突出しないため、物品を出し入れするスペースを広くすることができる。さらに、１つの回動軸ですむため、蓋の回動時のガタつきを小さくすることができる。
【０００８】
ここで、前記第１スライド部材と前記第２スライド部材との間に設けられ、前記第２スライド部材に上向きの力を付勢する弾性部材を備え、前記カム部材の回動角度が略１５度のときに、前記弾性部材が前記蓋を開く方向に前記カム部材を回動させる力と、前記蓋の自重により前記蓋を閉じる方向に前記カム部材を回動させる力と、が一致するようにしてもよい。これにより、蓋の開閉動作中に蓋を任意の位置で停止させることができる。したがって、安全で、使い勝手がよい収納庫とすることができる。
【０００９】
ここで、前記ガイド部材と前記第１スライド部材との間に設けられ、前記第１スライド部材に対し、前記ガイド部材から離れる方向の力を付勢して前記第１スライド部材を押し上げる第２弾性部材を備えてもよい。これにより、弾性部材が蓋の開動作を補助することができ、これによりユーザが蓋を軽い力で開くことができる。
【００１０】
上記課題を解決するために、本発明に係る蓋の開閉構造は、例えば、収納庫の開口部に設けられる略板状の蓋を、周縁が前記開口部の内周面に沿った閉位置と、前記収納庫の内部を露出させる開位置と、の間で開閉自在に支持する蓋の開閉構造であって、前記収納庫の内側の壁面に設けられるガイド部材と、前記ガイド部材に沿って上下方向に移動可能に設けられた第１スライド部材と、前記第１スライド部材の上端近傍に設けられた回動軸と、前記第１スライド部材に沿って上下方向に移動可能に設けられた第２スライド部材と、前記回動軸に軸支されたカム部材であって、前記回動軸の位置と異なる位置で前記第２スライド部材と当接するカム部材と、前記カム部材と共に前記回動軸まわりに回動可能な板状部であって、前記蓋の裏面に固定された板状部と、前記ガイド部材と前記第１スライド部材との間に設けられ、前記第１スライド部材に対し、前記ガイド部材から離れる方向の力を付勢して前記第１スライド部材を押し上げる弾性部材と、を備え、前記ガイド部材には、前記第１スライド部材の移動方向と略直交する方向に移動可能に設けられた下部突起及び上部突起が設けられ、前記第１スライド部材の側面には、下部凹部及び上部凹部が形成され、前記閉位置においては、前記下部突起が前記下部凹部に嵌合するとともに、前記上部突起が前記上部凹部に嵌合し、前記開位置においては、前記上部突起が前記下部凹部に嵌合し、前記閉位置においては、前記蓋が前記開口部の内部に配置され、前記開位置においては、前記蓋が前記開口部の外部に配置されて前記カム部材が回動可能であることを特徴とする。
【００１１】
本発明に係る蓋の開閉構造によれば、閉位置から開位置へ蓋が移動するとき、弾性部材が第１スライド部材を押し上げ、下部突起が下部凹部に嵌合するとともに、上部突起が上部凹部に嵌合する状態から、上部突起が下部凹部に嵌合する状態へと第１スライド部材を平行移動させる。そして、第１スライド部材に沿って第２スライド部材が上に移動すると回動軸に軸支されたカム部材及び板状部、すなわち蓋が回動する。したがって、リンク機構を用いない省スペースな開閉装置とすることができる。また、蓋の開閉時に収納庫の内部に部品が突出しないため、物品を出し入れするスペースを広くすることができる。さらに、１つの回動軸ですむため、蓋の回動時のガタつきを小さくすることができる。
【００１２】
ここで、前記第１スライド部材と前記第２スライド部材との間に設けられ、前記第２スライド部材に上向きの力を付勢する第２弾性部材を備え、前記カム部材の回動角度が略１５度のときに、前記第２弾性部材が前記蓋を開く方向に前記カム部材を回動させる力と、前記蓋の自重により前記蓋を閉じる方向に前記カム部材を回動させる力と、が一致するようにしてもよい。これにより、蓋の開閉動作中に蓋を任意の位置で停止させることができる。したがって、安全で、使い勝手がよい収納庫とすることができる。
【発明の効果】
【００１３】
本発明によれば、物品を出し入れするスペースを広く、かつガタつきを小さくすることができる。
【図面の簡単な説明】
【００１４】
【図１】本発明の一実施形態である蓋の開閉構造を有する開閉装置１が内部に設けられた床下収納庫１００の概略を示す図であり、要部を透視した図であって、（Ａ）は平面図であり、（Ｂ）は正面図であり、（Ｃ）は側面図である。
【図２】開閉装置１の概略を示す断面図である。
【図３】開閉装置１の概略を示す分解斜視図である。
【図４】蓋１０２を開いている途中の状態を示す図である。
【図５】蓋１０２が開き終わった状態を示す図である。
【図６】モーメントＭ、トルクＴ及びモーメントＭとトルクＴとの差分Ｄをグラフ化したものである。
【図７】本発明の一実施形態である蓋の開閉構造を有する開閉装置２の概略を示す断面図である。
【図８】弾性部材６０が第１スライド部材２０Ａを押し上げた後の状態を示す図である。
【発明を実施するための形態】
【００１５】
以下、本発明の実施形態を、図面を参照して詳細に説明する。本発明の蓋の開閉構造は、収納庫の開口部に設けられる略板状の蓋を、周縁が開口部の内周面に沿った閉位置と、収納庫の内部を露出させる開位置と、の間で開閉自在に支持する。以下の説明では、本発明の蓋の開閉構造を有する開閉装置が床下収納庫に設けられた例を用いるが、本発明は、床下収納庫以外の様々な装置の蓋を開閉するときに用いることができる。
【００１６】
＜第１の実施の形態＞
図１は、本発明の一実施形態である蓋の開閉構造を有する開閉装置１が内部に設けられた床下収納庫１００の概略を示す図であり、要部を透視した図である。図１において、（Ａ）は平面図であり、（Ｂ）は正面図であり、（Ｃ）は側面図である。
【００１７】
以下、図１（Ｂ）、（Ｃ）における上方向、下方向を＋ｚ方向、−ｚ方向とする。また、図１（Ａ）において、上から下に向かう方向を＋ｘ方向とし、左から右に向かう方向を＋ｙ方向とする。また、−ｘを奥、＋ｘを手前、−ｙを左、＋ｙを右、−ｚを下、＋ｚを上とする。
【００１８】
床下収納庫１００は、主として、収納庫本体１０１と、蓋１０２と、を有する。収納庫本体１０１は、箱状の部材であり、上部に開口部が形成される。収納庫本体１０１は、床板１０３の下側に、上端面が床板１０３の裏面に当接するように設けられる。床板１０３には開口部１０３ａが形成され、開口部１０３ａを覆うように蓋１０２が設けられる。なお、図１においては、説明のため、床板の一部を床板１０３として図示している。
【００１９】
図１に示す閉位置では、蓋１０２は開口部１０３ａの内部に設けられ、蓋１０２の周縁は開口部１０３ａの内周面に沿っている。蓋１０２には、ユーザが蓋１０２を開く時に用いる把持部１０２ａが設けられる。
【００２０】
開閉装置１は、収納庫本体１０１の内側の壁面に設けられる。本実施の形態では、開閉装置１は、手前側の壁面１０１ａ及び奥側の壁面１０１ｂにそれぞれ設けられる。
【００２１】
次に、開閉装置１について説明する。図２は、開閉装置１の概略を示す断面図である。図２では、壁面１０１ｂに設けられた開閉装置１を図示している。図３は、開閉装置１の概略を示す分解斜視図である。
【００２２】
開閉装置１は、主として、ガイド部材１０と、第１スライド部材２０と、回動軸２５と、第２スライド部材３０と、カム組立体４０と、蓋スライド部５０と、を有する。
【００２３】
ガイド部材１０は、上面が開口した箱状の部材であるケース１１を有する。ケース１１は、壁面１０１ａ、１０１ｂ（図１参照）に固定される。
【００２４】
ケース１１の＋ｙ側の側面１１ｂは摺動面であり、側面１１ｂに沿って第１スライド部材２０が摺動する。
【００２５】
ケースの−ｙ側の側面１１ｃ側には、突起部材１２と、弾性部材１３と、突起部材１２を保持する保持部材１４と、が設けられる。突起部材１２は、保持部材１４に形成された孔１４ａに挿入される。
【００２６】
弾性部材１３は、突起部材１２の底面に形成された穴１２ａ（図３参照）に挿入され、突起部材１２と側面１１ｃとの間に設けられる。弾性部材１３は、側面１１ｃから離れる方向の力（＋ｙ方向の力）を突起部材１２に付勢する。
【００２７】
突起部材１２は、高さ方向（ｚ方向）に沿って２つ設けられる。下側の突起部材１２は下部突起に相当し、上側の突起部材１２は上部突起に相当する。
【００２８】
ケース１１の底面１１ｄには、筒状部１５ａを有する底面部材１５が設けられる。筒状部１５ａは、弾性部材６０の中空部に挿入される。
【００２９】
第１スライド部材２０は、側面１１ｂと保持部材１４との間に挿入され、側面１１ｂ及び保持部材１４、すなわちガイド部材１０に沿って上下方向に移動可能に設けられる。図２に示すように蓋１０２（図２では図示省略）が閉位置にある場合には、第１スライド部材２０は下端に位置し、大部分がガイド部材１０と重なる。また、蓋１０２が開位置にある場合には、第１スライド部材２０は上端に位置し、大部分がガイド部材１０の上側に突出する（後に詳述）。
【００３０】
第１スライド部材２０の底面２０ａには、下向き（−ｚ向き）に突出するように筒状部２１が設けられる。筒状部２１は、弾性部材６０の中空部に挿入される。つまり、弾性部材６０は、ケース１１と第１スライド部材２０との間に設けられ、第１スライド部材２０に上向きの力を付勢する。
【００３１】
第１スライド部材２０の−ｙ側の側面２０ｂ（保持部材１４と対向する面）には、２つの凹部２０ｃ、２０ｄが形成される。蓋１０２が閉位置にある場合には、凹部２０ｃ、２０ｄにそれぞれ突起部材１２が嵌合する。蓋１０２が開位置にある場合には、下側の凹部２０ｄに上側の突起部材１２が嵌合する（後に詳述）。
【００３２】
第１スライド部材２０の上端（＋ｚ側の端）近傍に、孔２０ｅ（図３参照）が形成される。孔２０ｅには、回動軸２５が設けられる。
【００３３】
第１スライド部材２０には、ピン２２（図３、４参照）が挿入される孔２０ｆが形成される。ピン２２は、第１スライド部材２０がケース１１から抜けないように、ケース１１に形成された長穴１１ｅ（図４参照）を通して孔２０ｆに挿入される。ピン２２が長穴１１ｅに沿って移動することで、第１スライド部材２０がガイド部材１０に沿って上下方向に移動する。
【００３４】
第２スライド部材３０は、第１スライド部材２０の内部に挿入され、第１スライド部材２０に沿って上下方向に移動可能に設けられる。第２スライド部材３０には、底面に露出する穴３０ａ、３０ｂが形成される。穴３０ａ、３０ｂには、弾性部材６１が挿入される。つまり、弾性部材６１は、第１スライド部材２０と第２スライド部材３０との間に設けられ、第２スライド部材３０に上向きの力を付勢する。第２スライド部材３０は、閉位置においては下端に位置し、開位置においては上端に位置する。
【００３５】
第２スライド部材３０の上面は、カム組立体４０と当接する面であり、水平部３０ｃと、傾斜部３０ｄと、を有する。
【００３６】
カム組立体４０は、主として、カム部材４１と、板状部４５と、を有する。カム部材４１及び板状部４５は、回動軸２５に軸支されており、回動軸２５まわりに回動可能である。
【００３７】
カム部材４１は、回動軸２５と略平行な方向（ｘ方向）から見たときの形状が略Ｌ字形状であり、短い腕である腕４１ａと、長い腕である腕４１ｂと、を有する。腕４１ａの先端近傍には孔４１ｃ（図３参照）が形成され、孔４１ｃには回動軸２５が設けられる。腕４１ｂの先端近傍には孔４１ｆ（図３参照）が形成され、孔４１ｆには連結棒４２が挿入される。
【００３８】
腕４１ｂの先端は、第２スライド部材３０の水平部３０ｃ、傾斜部３０ｄと当接する部位であり、曲面部４１ｄと平面部４１ｅとを有する。蓋１０２が閉位置にあるときには、平面部４１ｅが水平部３０ｃと当接する（図２参照）。
【００３９】
弾性部材６１が第２スライド部材３０に上向きの力を付勢し、第２スライド部材３０がカム部材４１に上向きの力を付勢する。第２スライド部材３０とカム部材４１とが当接する位置（水平部３０ｃと平面部４１ｅとの当接位置や傾斜部３０ｄと曲面部４１ｄとの当接位置）は回動軸２５の位置と異なるため、第２スライド部材３０がカム部材４１を押し上げることでカム部材４１が回動する。
【００４０】
板状部４５は、両側が折り曲げられた板状の部材であり、カム部材４１を覆うように設けられる。板状部４５は、平面部４５ａと、平面部４５ａの両側に位置する２つの折曲部４５ｂと、を有する。平面部４５ａは、蓋スライド部５０と当接する。
【００４１】
２つの折曲部４５ｂには、それぞれ２つの孔４５ｃ、４５ｄ（図３参照）が形成される。孔４５ｃには回動軸２５が挿入され、孔４５ｄには連結棒４２が挿入される。したがって、板状部４５は、回動軸２５に軸支され、カム部材４１と共に回動軸２５まわりに回動する。
【００４２】
平面部４５ａ、折曲部４５ｂには、それぞれ、蓋１０２のスライド時に用いられる長孔４５ｅ、４５ｆが形成される。
【００４３】
蓋スライド部５０は、両側が折り曲げられた板状の部材であり、平面部５０ａと、折曲部５０ｂ、５０ｃと、を有する（図３参照）。蓋スライド部５０は、板状部４５を覆うように設けられる。平面部５０ａの上面は蓋１０２の裏面に固定され、平面部５０ａの下面は平面部４５ａの上面と当接する。折曲部５０ｂ、５０ｃは、折曲部４５ｂの外側に設けられる。
【００４４】
折曲部５０ｂ、５０ｃには、それぞれ孔５０ｄ（図３参照）が形成され、孔５０ｄには棒材５１、５２が挿入される。棒材５１、５２が孔５０ｄ及び長孔４５ｆに挿入されることで、蓋スライド部５０が板状部４５に沿って移動可能である。
【００４５】
棒材５１及び回動軸２５には、弾性部材６２の両端がそれぞれ設けられる。弾性部材６２は、蓋スライド部５０（すなわち、蓋１０２）を回動軸２５に近づける方向の力を蓋スライド部５０に付勢する。
【００４６】
次に、このように構成された開閉装置１を用いて蓋１０２を開閉する動作について説明する。ユーザが把持部１０２ａを把持して蓋１０２を上方へ引き上げると、蓋１０２の自重が開閉装置１にかからなくなり、開閉装置１が蓋１０２を開き始める。
【００４７】
まず、弾性部材６１により第２スライド部材３０が上方向に押し上げられる。その結果、水平部３０ｃと平面部４１ｅとが当接している状態（閉位置）から、傾斜部３０ｄと曲面部４１ｄとが当接している状態へと移行する。
【００４８】
図４は、蓋１０２を開いている途中の状態を示す図である（図４では一部図示を省略している）。弾性部材６１による付勢力は、傾斜部３０ｄから曲面部４１ｄ、すなわちカム部材４１に伝えられる（図４矢印Ａ参照）。傾斜部３０ｄと曲面部４１ｄとの当接位置は回動軸２５の位置と異なる位置にあるため、弾性部材６１の付勢力により回動軸２５を中心にカム組立体４０が回動する（図４矢印Ｂ参照）。
【００４９】
蓋１０２と開口部１０３ａとの間には隙間が無いため、ユーザが把持部１０２ａを把持して蓋１０２を上方へ引き上げることで、蓋１０２、すなわち蓋スライド部５０は、弾性部材６２の付勢力に抗して回動軸２５から離れる方向へ移動する（図４矢印Ｃ参照）。これにより、蓋１０２と開口部１０３ａとの干渉を防止し、蓋１０２を開くことができる。なお、図４に示す状態は、図２に示す状態よりも蓋１０２が回動軸２５から離れている。特に、図４に示す状態は蓋１０２の回動角度が略４５度であるため、蓋１０２が回動軸２５から最も離れた位置にある。
【００５０】
また、ユーザが把持部１０２ａを把持して蓋１０２を上方へ引き上げることで、弾性部材６０の付勢力により第１スライド部材２０が上方へ移動する。図２に示す状態では、凹部２０ｃ、２０ｄに突起部材１２が嵌合しているが、図４に示す状態では、図２に示す状態よりも第１スライド部材２０が上方に位置しているため、凹部２０ｃ、２０ｄに突起部材１２が嵌合していない。
【００５１】
このように、閉位置から開位置へ蓋１０２が移動するときに、カム組立体４０（カム部材４１及び板状部４５）は上方向に移動しながら回動し、かつ蓋スライド部５０（蓋１０２）はカム組立体４０の回動に伴い平行移動するため、蓋１０２の平行移動量及びカム組立体４０の平行移動量がそれぞれ最小限ですむ。したがって、ユーザは、容易に軽い力で蓋１０２を開くことができる。
【００５２】
図５は、蓋１０２が開き終わった状態を示す図である。図５に示す状態では、図４に示す状態よりも第１スライド部材２０が上方へ移動している。
【００５３】
蓋１０２を閉めるときは、ユーザが把持部１０２ａを把持して、図５に示す開位置にある蓋１０２を斜め前方（図５における左上方向）へ引き上げることで、弾性部材６０の付勢力により第１スライド部材２０が上方へ移動し、かつ蓋１０２（蓋スライド部５０）が回動軸２５から離れる方向へ移動する。そのまま把持部１０２ａを下方へ移動させることで、蓋１０２（カム組立体４０）が回動しながら下方へ移動し、図２に示す閉位置へと蓋１０２が移動する。
【００５４】
なお、蓋１０２の重心は回動軸２５から遠い位置にあるため、蓋１０２が閉位置以外にあるときには蓋１０２は常に閉じようとする。ただし、本実施の形態では、開閉装置１は、蓋１０２を任意の角度だけ開けた状態で固定する。以下、蓋１０２を保持する機能について説明する。
【００５５】
蓋１０２が閉じようとするモーメントＭは、Ｍ＝ＭＧ×Ｗ（ｋｇｆｍｍ）で求められる。ここで、ＭＧ（図１（Ｂ）参照）は回動軸２５の中心と蓋１０２の重心との距離（ｍｍ）であり、Ｗは蓋１０２の重さ（ｋｇｆ）である。つまり、モーメントＭは、蓋１０２の自重により、蓋１０２を閉じる方向にカム部材４１を回動させる力である。
【００５６】
一方、開閉装置１のトルクＴは、Ｔ＝Ｗ２×Ｈ（ｋｇｆｍｍ）で求められる。ここで、Ｗ２は、弾性部材６１が第２スライド部材３０を押し上げる力（ｋｇｆ）であり、Ｈ（図４参照）は、回動軸２５の中心と傾斜部３０ｄと曲面部４１ｄとの当接位置との距離（ｍｍ）である。つまり、トルクＴは、弾性部材６１が、蓋１０２を開く方向にカム部材４１を回動させる力である。
【００５７】
図６は、モーメントＭ、トルクＴ及びモーメントＭとトルクＴとの差分Ｄ（Ｄ＝Ｔ−Ｍ）をグラフ化したものである。モーメントＭとトルクＴとが一致する場合（差分Ｄが０）には蓋１０２が静止し、モーメントＭがトルクＴより大きい場合（差分Ｄが負の値）には蓋１０２が閉じようとし、トルクＴがモーメントＭより大きい場合（差分Ｄが正の値）には開閉装置１が蓋１０２を開こうとする。
【００５８】
本実施の形態では、蓋１０２、すなわちカム部材４１の回動角度が略１５度のときにモーメントＭとトルクＴとが一致する。ただし、摩擦力がモーメントＭとトルクＴとの差分を上回る範囲（図６斜線部参照）では、蓋１０２が静止する。したがって、開閉装置１は、蓋１０２を開いた状態で蓋１０２を保持することができる。特に、カム部材４１の回動角度が略１５度のときにモーメントＭとトルクＴとを一致させることで、カム部材４１の回動角度が略１０度以上、すなわち実使用上ユーザが蓋１０２を開きうる角度で、開閉装置１が蓋１０２を保持することができる。
【００５９】
本実施の形態によれば、開閉装置１は略箱状であり、蓋１０２の開閉に伴い大きさ（ｚｙ平面上の大きさ）が変化しないため、省スペースな開閉装置とすることができる。また、また、リンク機構を用いないため、蓋１０２の開閉時に収納庫本体１０１の内部に部品が突出することが無く、物品を出し入れするスペースを広くすることができる。そのため、物品を出し入れする時の利便性を向上させることができる。
【００６０】
また、本実施の形態によれば、リンク機構を用いないため、１つの回動軸２５ですむ。したがって、多数の軸を必要とするリンク機構を用いた開閉装置と異なり、蓋１０２を開閉するときのガタつきを小さくすることができる。
【００６１】
また、本実施の形態によれば、第１スライド部材２０を上下方向に移動可能とするとともに蓋１０２を平行移動可能とすることで、蓋１０２と開口部１０３ａとの隙間をほぼ無くすことができる。
【００６２】
また、本実施の形態によれば、蓋１０２の回動角度が略１５度のときにモーメントＭとトルクＴとが一致することで、蓋１０２の開閉動作中に蓋１０２を任意の位置で停止させることができる。したがって、安全で、使い勝手がよい床下収納庫とすることができる。また、弾性部材６０、６１が開動作を補助するため、ユーザが蓋１０２を軽い力で開くことができる。
【００６３】
なお、本実施の形態では、弾性部材６０の付勢力を、蓋１０２の重量及びガイド部材１０以外の開閉装置１の重量よりも小さくすることが望ましい。これにより、弱い力で蓋１０２を閉じることができる。
【００６４】
＜第２の実施の形態＞
第１の実施の形態は、蓋１０２の開閉時に、蓋１０２を平行移動させつつ第１スライド部材２０及び第２スライド部材３０を平行移動させたが、必ずしも蓋１０２を平行移動させる必要はない。
【００６５】
第２の実施の形態は、蓋１０２の開閉時に、蓋１０２を平行移動させず、第１スライド部材２０及び第２スライド部材３０を平行移動させる形態である。以下、第２の実施の形態に係る開閉装置２について説明する。なお、第１の実施の形態に係る開閉装置１と同一の部分については、同一の符号を付し、説明を省略する。
【００６６】
図７は、本発明の一実施形態である蓋の開閉構造を有する開閉装置２の概略を示す断面図である。開閉装置２は、主として、ガイド部材１０Ａと、第１スライド部材２０Ａと、回動軸２５と、第２スライド部材３０と、カム組立体４０Ａと、を有する。
【００６７】
ガイド部材１０Ａにおいては、ケース１１の底面１１ｄに、凹部１５ｂが形成された底面部材１５Ａが設けられる。凹部１５ｂには、弾性部材６０が挿入される。
【００６８】
第１スライド部材２０Ａは、側面１１ｂと保持部材１４との間に挿入される。第１スライド部材２０Ａの底面２０ａには、弾性部材６０が当接する。つまり、弾性部材６０は、ケース１１Ａと第１スライド部材２０Ａとの間に設けられ、第１スライド部材２０Ａに上向きの力を付勢する。
【００６９】
図７に示すように閉位置に蓋１０２がある場合には、第１スライド部材２０Ａは下端に位置し、大部分がガイド部材１０と重なる。第１スライド部材２０Ａが下端に位置する場合には、凹部２０ｃ、２０ｄにそれぞれ突起部材１２が嵌合する。また、第１スライド部材２０Ａが上方向に移動し、第１スライド部材２０Ａが上端に位置する場合には、大部分がガイド部材１０の上側に突出する（後に詳述）。
【００７０】
カム組立体４０Ａは、主として、カム部材４１と、板状部４６と、を有する。カム部材４１及び板状部４６は、回動軸２５に軸支されており、回動軸２５まわりに回動可能である。
【００７１】
板状部４６は、両側が折り曲げられた板状の部材であり、カム部材４１を覆うように設けられる。板状部４６は、平面部４６ａと、平面部４６ａの両側に位置する２つの折曲部４６ｂと、を有する。平面部４６ａは、蓋１０２の裏面に固定される。
【００７２】
２つの折曲部４６ｂには、回動軸２５が挿入される孔と、連結棒４２が挿入される孔が形成される。回動軸２５及び連結棒４２は、カム部材４１及び板状部４６に挿入される。したがって、板状部４６は回動軸２５に軸支され、カム部材４１と共に回動軸２５まわりに回動する。
【００７３】
次に、このように構成された開閉装置２を用いて蓋１０２を開閉する動作について説明する。ユーザが把持部１０２ａを把持して蓋１０２を上方へ引き上げると、蓋１０２の自重が開閉装置１にかからなくなり、弾性部材６０が第１スライド部材２０Ａを押し上げる。
【００７４】
図８は、弾性部材６０が第１スライド部材２０Ａを押し上げた後の状態を示す図である。弾性部材６０は、第１スライド部材２０Ａが下端に位置する状態（図７参照）から、第１スライド部材２０Ａが上端に位置する状態まで、第１スライド部材２０Ａを押し上げる。これにより、蓋１０２が、開口部１０３ａの内周面に沿って開口部１０３ａの内部に設けられた状態から上方向に移動し、回動可能となる。なお、第１スライド部材２０Ａが上端に位置する状態では、凹部２０ｄに上側の突起部材１２が嵌合する。
【００７５】
その後、ユーザが把持部１０２ａを把持して蓋１０２を持ち上げると、回動軸２５を中心にカム組立体４０Ａ及び蓋１０２が回動する。凹部２０ｄに上側の突起部材１２が嵌合しているため、蓋１０２の回動中は第１スライド部材２０の高さ方向の位置が固定される。開閉装置２においても、開閉装置１と同様、蓋１０２は、開閉動作中に任意の位置で停止可能である。
【００７６】
蓋１０２を閉めるときは、ユーザが把持部１０２ａを把持して蓋１０２を回動させると、蓋１０２、すなわちカム組立体４０Ａが略９０度回動する。その後、ユーザが蓋１０２を押し下げることで、蓋１０２、すなわち第１スライド部材２０Ａ及び第２スライド部材３０が下端まで下がる。
【００７７】
本実施の形態によれば、蓋スライド機構を用いないため、簡単な構成で、省スペースかつ物品を出し入れするスペースが広い開閉装置とし、かつ蓋１０２と開口部１０３ａとの隙間をほぼ無くすことができる。また、回動軸２５が１つであるため、蓋１０２を開閉するときのガタつきを小さくすることができる。
【００７８】
以上、この発明の実施形態を、図面を参照して詳述してきたが、具体的な構成はこの実施形態に限られるものではなく、この発明の要旨を逸脱しない範囲の設計変更等も含まれる。
【００７９】
また、本発明において、「略」とは、厳密に同一である場合のみでなく、同一性を失わない程度の誤差や変形を含む概念である。例えば、略平行、略直交とは、厳密に平行、直交の場合には限られない。また、例えば、単に平行、直交等と表現する場合においても、厳密に平行、直交等の場合のみでなく、略平行、略直交等の場合を含むものとする。また、本発明において「近傍」とは、例えばＡの近傍であるときに、Ａの近くであって、Ａを含んでも含まなくてもよいことを示す概念である。
【符号の説明】
【００８０】
１、２                ：開閉装置
１０、１０Ａ          ：ガイド部材
１１、１１Ａ          ：ケース
１１ｂ、１１ｃ        ：側面
１１ｄ                ：底面
１１ｅ                ：長穴
１２                  ：突起部材
１２ａ                ：穴
１３                  ：弾性部材
１４                  ：保持部材
１４ａ                ：孔
１５、１５Ａ          ：底面部材
１５ａ                ：筒状部
１５ｂ                ：凹部
２０、２０Ａ          ：第１スライド部材
２０ａ                ：底面
２０ｂ                ：側面
２０ｃ、２０ｄ        ：凹部
２０ｅ                ：孔
２０ｆ                ：凸部
２１                  ：筒状部
２５                  ：回動軸
３０                  ：第２スライド部材
３０ａ、３０ｂ        ：穴
３０ｃ                ：水平部
３０ｄ                ：傾斜部
４０、４０Ａ          ：カム組立体
４１                  ：カム部材
４１ａ、４１ｂ        ：腕
４１ｃ                ：孔
４１ｄ                ：曲面部
４１ｅ                ：平面部
４１ｆ                ：孔
４２                  ：連結棒
４５、４６            ：板状部
４５ａ、４６ａ        ：平面部
４５ｂ、４６ｂ        ：折曲部
４５ｃ、４５ｄ        ：孔
４５ｅ、４５ｆ        ：長孔
５０                  ：蓋スライド部
５０ａ                ：平面部
５０ｂ、５０ｃ        ：折曲部
５０ｄ                ：孔
５１、５２            ：棒材
６０、６１、６２      ：弾性部材
１００                ：床下収納庫
１０１                ：収納庫本体
１０１ａ、１０１ｂ    ：壁面
１０２                ：蓋
１０２ａ              ：把持部
１０３                ：床板
１０３ａ              ：開口部
【図１】
2018100504.tif 000003
【図２】
2018100504.tif 000004
【図３】
2018100504.tif 000005
【図４】
2018100504.tif 000006
【図５】
2018100504.tif 000007
【図６】
2018100504.tif 000008
【図７】
2018100504.tif 000009
【図８】
2018100504.tif 000010